(57)【要約】  本発明は、噴霧処理ツールを用いて超小型電子装置を処理する際の、第１の処理用流体と第２の処理用流体との移行を制御するための方法および装置を提供する。
2013526056.tif 000002
【特許請求の範囲】
【請求項１】
１以上の処理用流体を超小型電子加工品に対して、それぞれ別々に向けられるように構成される第１の吐出ノズルおよび第２の吐出ノズルを含む処理容器の中に該超小型電子加工品を配置する工程と、
上記第１の吐出ノズルを用いて第１の処理用流体を上記処理容器の中に吐出する工程と、
上記第１の吐出ノズルを用いた上記処理容器への上記第１の処理用流体の吐出を終了する工程と、
上記第１の吐出ノズルに対して吸引を行なう工程と、
上記第１の吐出ノズルの吸引後に、上記第２の吐出ノズルを用いて第２の処理用流体を上記処理容器の中に吐出する工程と、を含むことを特徴とする超小型電子加工品の処理方法。
【請求項２】
上記超小型電子加工品は、アスペクト比が少なくとも５：１である部品を含むことを特徴とする請求項１に記載の方法。
【請求項３】
上記第１の吐出ノズルは、複数のオリフィスを含むことを特徴とする請求項１に記載の方法。
【請求項４】
上記第１の処理用流体を上記超小型電子加工品の中心領域に吐出する工程をさらに含むことを特徴とする請求項３に記載の方法。
【請求項５】
上記第１の吐出ノズルは、上記超小型電子加工品の上方に配置され、該超小型電子加工品のコードの少なくとも一部にまで伸長することを特徴とする請求項３に記載の方法。
【請求項６】
上記第２の吐出ノズルを用いて上記第２の処理用流体を吐出させる期間の、少なくとも一部の期間において、上記第１の吐出ノズルに対する吸引を継続する工程をさらに含むことを特徴とする請求項１に記載の方法。
【請求項７】
少なくとも、上記第２の吐出ノズルを用いて該第２の処理用流体を吐出させる処理が終了するまで、上記第１の吐出ノズルに対する吸引を継続する工程をさらに含むことを特徴とする請求項１に記載の方法。
【請求項８】
上記第１の吐出ノズルに対する吸引を行なった後、第３の吐出ノズルを用いて、第３の処理用流体を吐出する工程をさらに含むことを特徴とする請求項１に記載の方法。
【請求項９】
上記第３の処理用流体は水を含むことを特徴とする請求項８に記載の方法。
【請求項１０】
上記第１の処理用流体および上記第２の処理用流体は発熱を伴って混合することを特徴とする請求項１に記載の方法。
【請求項１１】
上記第１の処理用流体は酸を含み、上記第２の処理用流体は発熱を伴って該酸と混合する流体を含むことを特徴とする請求項１に記載の方法。
【請求項１２】
上記第２の処理用流体は水を含み、上記第１の処理用流体は発熱を伴って該水と混合する流体を含むことを特徴とする請求項１に記載の方法。
【請求項１３】
上記第１の処理用流体は酸を含み、上記第２の処理用流体は水を含むことを特徴とする請求項１に記載の方法。
【請求項１４】
上記酸は、水溶性の酸を含むことを特徴とする請求項１３に記載の方法。
【請求項１５】
上記第１の処理用流体および上記第２の処理用流体のいずれか、もしくは両方ともが、濃縮または希釈された１以上の酸を含むことを特徴とする請求項１に記載の方法。
【請求項１６】
上記酸は、硫酸、リン酸、塩酸、およびこれらの組み合わせのうち、いずれかを含むことを特徴とする請求項１５に記載の方法。
【請求項１７】
上記酸は硫酸を含むことを特徴とする請求項１６に記載の方法。
【請求項１８】
上記第１の処理用流体および第２の処理用流体のいずれか、もしくは両方ともが、濃縮または希釈された１以上の酸化剤を含むことを特徴とする請求項１に記載の方法。
【請求項１９】
上記酸化剤は、過酸化物、オゾン、および、これらの組み合わせのうち、いずれかを含むことを特徴とする請求項１８に記載の方法。
【請求項２０】
上記第１の処理用流体および第２の処理用流体のいずれか、もしくは両方ともが、濃縮または希釈された１以上のアルカリ剤を含むことを特徴とする、請求項１に記載の方法。
【請求項２１】
上記アルカリ剤は、水酸化物、アンモニア、アミン、および、これらの組み合わせのうち、いずれかを含む材料に由来する薬剤を含むことを特徴とする請求項２０に記載の方法。
【請求項２２】
上記第１の処理用流体および第２の処理用流体のいずれか、もしくは両方ともが、アンモニウムおよびハロゲン化物を含む材料に由来する、濃縮または希釈された１以上の薬剤を含むことを特徴とする、請求項１に記載の方法。
【請求項２３】
上記ハロゲン化物は、フッ化物を含むことを特徴とする請求項２２に記載の方法。
【請求項２４】
上記第１の吐出ノズルを用いて、吐出時の温度が約３０℃以上である、硫酸と、任意で過酸化水素とを含む流体を吐出し、上記第１の吐出ノズルを用いて、吐出時の温度が約３０℃以上である硫酸を吐出した後、上記第１の吐出ノズルを用いた、吐出時の温度が約３０℃以上である硫酸の吐出を終了してから、該第１の吐出ノズルに対して吸引を行ない、その後、上記第２の吐出ノズルを用いて、約３０℃より低い温度の水を吐出することを特徴とする請求項１に記載の方法。
【請求項２５】
１以上の処理用流体を超小型電子加工品に対して、それぞれ別々に向けられるように構成される第１の吐出オリフィスおよび第２の吐出オリフィスを含む処理容器の中に該超小型電子加工品を配置する工程と、
上記第１の吐出オリフィスを用いて第１の処理用流体を上記処理容器の中に吐出する工程と、
上記第１の吐出オリフィスに対して吸引を行なう工程と、
上記第１の吐出オリフィスの吸引後に、上記第２の吐出オリフィスを用いて第２の処理用流体を上記処理容器の中に吐出する工程と、を含むことを特徴とする超小型電子加工品の処理方法。
【請求項２６】
第１の処理用流体を処理容器の中に吐出することができる少なくとも１つのオリフィスを含む第１のノズルと、該第１のノズルとは異なり、第２の処理用流体を該処理容器の中に吐出することができる少なくとも１つのオリフィスを含む第２のノズルとを含む該処理容器の中に超小型電子加工品を配置する工程と、
上記第１のノズルおよび第２のノズルのいずれか、もしくは両方に対して吸引を行なうことで、それぞれの処理用流体を上記第１のノズルおよび第２のノズルのいずれか、もしくは両方から上流へ抜き出す工程と、を含むことを特徴とする超小型電子加工品の処理方法。
【請求項２７】
１以上の処理用流体を超小型電子加工品に対して、それぞれ別々に向けられるように構成される第１の吐出ノズルおよび第２の吐出ノズルを含む処理容器の中に該超小型電子加工品を配置する工程と、
上記第１の吐出ノズルを用いて第１の処理用流体を上記処理容器の中に吐出する工程と、
上記第２の吐出ノズルを用いて第２の処理用流体を上記処理容器の中に吐出する工程と、
第２のノズルから吐出された第２の流体のフィルムの表面上に、第１のノズルから吐出されたある流体の雫が落下するのを防ぐために、第１の化学物質の吐出と第２の化学物質の吐出との移行を制御する工程と、
上記超小型電子加工品の上において、上記第２の処理用流体のフィルムの表面上に、上記第１のノズルから吐出された上記第１の処理用流体が滴り落ちるのを防ぐために、上記第１の処理用流体の吐出と上記第２の処理用流体の吐出との移行を制御する工程と、を含むことを特徴とする超小型電子装置の処理方法。
【発明の詳細な説明】
【発明の詳細な説明】
【０００１】
〔優先権〕
本正規特許出願は、Ｗａｇｅｎｅｒらによって２０１０年４月２７日に出願された、「基板表面の近傍における流体の混合制御による超小型電子基板の湿式処理」という名称の、米国仮特許出願番号第６１／３２８，２７４号の恩典を主張するものであり、上記米国仮特許出願の全てが本明細書中において参考として援用される。
【０００２】
〔技術分野〕
本発明は噴霧処理ツールを用いる超小型電子装置の処理に関する。さらに詳細には、本発明は、制御せずに行なった混合によって起こる部品の損傷を最小限に抑えるために噴霧処理ツールを用いて行なう処理中に、基板表面の近傍において行なわれる可能性がある処理用流体の混合制御に関するものである。
【０００３】
〔背景技術〕
マイクロエレクトロニクス産業は、様々な超小型電子装置の製造工程における様々なプロセス手法に依拠している。プロセス手法には、湿式処理および乾式処理のいずれか、もしくはその両方が含まれることが多い。これらの処理を実施するために、マイクロエレクトロニクス産業では様々な構成のシステムが利用される。このようなシステムの多くは、噴霧処理ツールの形をしている。噴霧処理ツールとは、一般的に、単独または組み合わせて行なわれる一連の１以上の工程において、薬剤、洗浄液、気体、およびこれらの組み合わせ等の処理用流体を、超小型電子加工品上に噴霧、投下（cast）、あるいは吐出するツールのことを指す。この噴霧処理ツールは、超小型電子加工品を処理の過程で流体槽に浸漬させるウェット・ベンチ・ツールとは異なる。
【０００４】
一般的な噴霧処理ツールにおいて、超小型電子加工品は、噴霧処理ツールの処理容器内で支持されながら、処理用流体が超小型電子加工品に吐出、あるいは、噴霧される。多くの場合、このような処理の１以上の工程中に、超小型電子加工品は軸を中心に回転している。単一の超小型電子加工品システムについては、超小型電子加工品は、自身の中心軸を中心に回転することが多い。この種類の例示的なツールは、ミネソタ州チャスカにあるＦＳＩ  Ｉｎｔｅｒｎａｔｉｏｎａｌ，Ｉｎｃ．から「ＯＲＩＯＮ（登録商標）」の商品名で市販されている。複数の超小型電子加工品を同時に処理するツールにおいて、超小型電子加工品が回転ターンテーブル（「プラテン（a platen）」とも称される）の上に支持されるホルダー（「カセット（cassettes）」とも称される）内に格納されることも多い。上記ターンテーブルは、自身の中心軸を中心に回転し、概略的には、上記ホルダーはターンテーブルの軸の周りを軌道を描いて遊星状に回転する。この種類の例示的なツールは、ミネソタ州チャスカにあるＦＳＩ  Ｉｎｔｅｒｎａｔｉｏｎａｌ，Ｉｎｃ．から「ＭＥＲＣＵＲＹ（登録商標）」および「ＺＥＴＡ（登録商標）」という商品名で市販されている。
【０００５】
噴霧処理ツールを用いた一般的な手法には、超小型電子加工品に対して、１以上の化学処理、洗浄処理、および、これらの組み合わせを含む１以上の湿式処理を施す処理工程が含まれる。通常、所望の湿式処理が完了した後、超小型電子加工品を乾燥させる。例えば、従来の洗浄・乾燥の手順では、まず、処理容器内の回転ターンテーブルの上に支持された超小型電子加工品の上に洗浄液を吐出または噴霧する。洗浄処理を停止し、洗浄液を供給するために使用した管を処理容器の中へ排出する。その後、通常乾性ガスを、上記管と同一の管、または異なる管を介して上記処理容器へ導入し、超小型電子加工品を乾燥させる。
【０００６】
例示的な製造方法によれば、フォトレジストマスクを使用して超小型電子基板の上に装置部品が形成される。これらの部品は、マイクロエレクトロニクス技術の進歩に伴って、より小型化される傾向にある。例えば、既存の装置の中には、ナノメートルレベルの大きさを有するゲート構造等の部品を含むものがある。残念なことに、小型の装置部品は、より大型で、より頑強な部品よりも、製造過程において損傷を受けやすい傾向にある。製造過程において、小型の装置部品を保護するのに役立つ処理方法を開発することが望まれている。
【０００７】
部品の作製に使用されたフォトレジストマスクは、その後除去されるのが一般的である。フォトレジストマスクが除去される背景には、部品の損傷の問題が存在する。周知のピラニア処理は、基板の表面からフォトレジスト残渣を取り除くために使用する一つの方法である。一般的なピラニア成分組成は、少なくとも硫酸と過酸化水素とを含む成分を組み合わせることによって得られる水溶液である。多くの場合、これらの成分は、高濃度の硫酸水および３０重量パーセントの過酸化水素水として供給される。一般的なピラニア溶液を得るには、過酸化水素溶液の単位容積あたり、約２容量部〜約１０容量部の酸性溶液を組み合わせる。上記ピラニア溶液は、より希釈した状態で使用することも可能である。ピラニア溶液は、例えば、約６０℃を超える温度、さらには約８０℃を超える温度、またさらには１８０℃を超える温度といった高温状態で使用されることが多い。上記ピラニア溶液は、フォトレジスト残渣等の有機化合物を表面から取り除く。また、上記ピラニア溶液は、金属を酸化させたり、ヒドロキシル化させる傾向があり、金属を親水性にする。このピラニア溶液を用いて洗浄した後、基板を水でよく洗い流す。その後、必要に応じて、当該基板にさらに処理を施す場合がある。
【０００８】
他の例証的な実施形態において、上記の洗浄成分には、リン酸等の１以上の他の酸が含まれていることがある。さらに、洗浄用の化学物質によっては、酸を使っても過酸化物は使わない場合がある。洗浄用の化学物質によっては、過酸化水素の代わりに他の酸化剤を使用することがある。
【０００９】
残念なことに、このような洗浄用の化学物質を用いる従来の方法には、装置部品を損傷させる傾向がある。部品が小型化するにつれてこのリスクは高くなる。他の処理もまた、装置部品に損傷を来たすといった、同様のリスクをもたらす。これら他の関連例として、金属を除去するための王水処理が挙げられる（硝酸と塩酸の混合）。従って、処理中における装置部品の損傷を防ぐための改善策が強く求められる。
【００１０】
〔発明の概要〕
本発明によると、製造中の超小型電子加工品の表面近傍で異なる化学物質同士の混合を制御および／または防止することによって、部品の損傷が大幅に減る。本発明は、異なる化学物質同士が発熱を伴って混合するという認識の、少なくとも一部に基づいている。この場合、上記の混合が上記超小型電子加工品の表面近傍で生じると、製造中の超小型電子加工品上の微細な部品が損傷させる可能性のあるエネルギーが放出される。少なくとも２つの独立した（別個の）ノズルを含む処理ツール（以下、「マルチノズルシステム」）は、複数の工程を含む処理の過程において、少なくとも２つの異なる処理用流体を１以上の超小型電子加工品の上に、別々に吐出することができる。このようなツールは、例えば、ある化学物質が１つのノズルから吐出される間に、別のノズルから化学物質が滴り落ちるといった場合、超小型電子加工品の表面上における発熱を伴った化学物質の混合の影響を特に受けやすい。従って、本発明の原理は、このようなマルチノズルツールに対して好適かつ有利に実施される。
【００１１】
本発明によると、超小型電子加工品の表面の近傍における化学物質の混合を制御および／または防止するための異なる手段を供給する。その１つの方法によれば、本発明は、第１のノズルからある流体が、第２のノズルから吐出された第２の流体の表面フィルムの上に落下することを防ぐために、化学物質の第１の吐出と化学物質の第２の吐出との移行を制御する。例えば、化学物質が吐出された後の残留した酸の雫が、第１のノズルから超小型電子加工品の表面上に滴り落ちることを防止しながら、その後の処理段階において洗浄水が第２のノズルから吐出される。これは、１つの形態として、上記洗浄水が第２のノズルから吐出される前に、上記第１のノズルに対して吸引を行なうことによって実施できる。別の態様としては、上記第１のノズルに対する吸引を継続させながら、上記第２のノズルから第２の流体を超小型電子加工品の上に注入する。さらに別の手法によれば、損傷の危険性をさらに回避しやすくするために、超小型電子加工品を自身の中心軸を中心に回転させながら、上記第２の化学物質を超小型電子加工品の概ね中心に注入する。
【００１２】
１つの態様において、本発明は、１以上の処理用流体が超小型電子加工品に対して、それぞれ別々に向けられるように構成される第１の吐出ノズルと第２の吐出ノズルとを含む処理容器の中に該超小型電子加工品を配置する工程と、上記第１の吐出ノズルを用いて第１の処理用流体を上記処理容器の中に吐出させる工程と、上記第１の吐出ノズルを用いて上記処理容器へ吐出された該第１の処理用流体の吐出を終了させる工程と、上記第１の吐出ノズルに対して吸引を行なう工程と、上記第１の吐出ノズルの吸引後に、上記第２の吐出ノズルを用いて第２の処理用流体を前記処理容器の中に吐出させる工程とを含むことを特徴とする、超小型電子加工品の処理方法に関する。
【００１３】
別の態様において、本発明は、１以上の処理用流体が超小型電子加工品に対して、それぞれ別々に向けられるように構成される第１の吐出オリフィスと第２の吐出オリフィスとを含む処理容器の中に該超小型電子加工品を配置する工程と、上記第１の吐出オリフィスを用いて第１の処理用流体を上記処理容器の中に吐出させる工程と、上記第１の吐出オリフィスに対して吸引を行なう工程と、上記第１の吐出オリフィスの吸引後に、上記第２の吐出オリフィスを用いて第２の処理用流体を前記処理容器の中に吐出させる工程とを含むことを特徴とする、超小型電子加工品の処理方法に関する。
【００１４】
さらに別の態様において、本発明は、第１の処理用流体を処理容器の中に吐出することができる少なくとも１つのオリフィスを含む第１のノズルと、該第１のノズルとは異なり、第２の処理用流体を該処理容器の中に吐出することができる少なくとも１つのオリフィスを含む第２のノズルとを含む該処理容器の中に該超小型電子加工品を配置する工程と、上記第１のノズルおよび第２のノズルのいずれか、もしくは両方に対して吸引を行なうことで、それぞれの処理用流体を上記第１のノズルおよび第２のノズルのいずれか、もしくは両方から上流へ抜き出す工程とを含むことを特徴とする、超小型電子加工品の処理方法に関する。
【００１５】
またさらに別の態様において、本発明は、１以上の処理用流体が超小型電子加工品に対して、それぞれ別々に向けられるように構成される第１の吐出ノズルと第２の吐出ノズルとを含む処理容器の中に該超小型電子加工品を配置する工程と、上記第１の吐出ノズルを用いて第１の処理用流体を上記処理容器の中に吐出させる工程と、上記第２の吐出ノズルを用いて第２の処理用流体を上記処理容器の中に吐出させる工程と、上記第２のノズルから吐出された上記第２の処理用流体のフィルムの表面上に、上記第１のノズルから吐出されたある流体の雫が落下するのを防ぐために、第１の化学物質の吐出と第２の化学物質の吐出との移行を制御する工程と、該超小型電子加工品の上に、該第２の処理用流体のフィルムの表面上に、上記第１のノズルから吐出された該第１の処理用流体が滴り落ちるのを防ぐために、該第１の処理用流体の吐出と該第２の処理用流体の吐出との移行を制御する工程とを含むことを特徴とする、超小型電子装置の処理方法に関する。
【００１６】
〔図面の簡単な説明〕
本開示内容において援用され、本開示内容の一部を構成する添付図面において、それぞれ本発明の態様を示す。また、添付図面は、模範的な実施形態の記載とともに、本発明の原理を説明するのに役立つ。以下、図面を簡単に説明する。
【００１７】
図１−図３は、本発明に係り検討されたマイクロバーストの概念を概略的に説明する図である。
【００１８】
図４は、本発明に係り使用できる模範的装置を概略的に示す図である。
【００１９】
図５−図１２は、図４に示す上記模範的装置により実行できる従来技術の一連の処理工程を概略的に示す図である。
【００２０】
図１３−図２１は、本発明に係る混合制御処理を組み込んだ一連の工程を実施するための、図４の装置の使用方法を示す図である。
【００２１】
〔発明を実施するための形態〕
本明細書に記載される本発明の例示的な実施形態は、網羅的でもなければ、本発明を下記の詳述な記載に開示された厳密な態様に限定する意図もない。むしろ、本明細書に記載される例示的な実施形態は、当業者が本発明の原理および実施を認識、且つ理解できるように、選んだ上で記載されている。
【００２２】
代表的な実施形態において、処理中の超小型電子加工品が自身の中心軸を中心に回転しているタイプの好ましいマルチノズルツールに対して、本発明を実施する事が望ましい。好ましい例示的なマルチノズルツールは、複数のオリフィスを含むスプレーバーの形をした第１のノズルを含み、該複数のオリフィスから、第１の処理用流体が、下に位置する回転中の超小型電子加工品のコードにまで吐出される。多くの場合、このコードは上記超小型電子加工品の直径、あるいは直径の一部分に対応する。また、上記マルチノズルツールは第２のノズルを含み、下に位置する回転中の上記超小型電子加工品の概ね中心に、当該第２のノズルから第２の処理用流体が吐出される。第１の処理用流体および／または第２の処理用流体は、それぞれ別々に、連続的な方法、または断続的な方法、もしくはその両方を組み合わせた方法で細流として吐出されてもよい。また、各流体は、それぞれ別々に、ミスト状もしくはスプレー状に吐出されるように噴霧することができる。ノズルの設計、２以上の細流による衝突等によって、噴霧が可能である。
【００２３】
多くの場合、超小型電子加工品はこのような処理の１以上の工程中に軸を中心に回転している。単一の超小型電子加工品システムにおいて、超小型電子加工品は、自身の中心軸を中心に回転することが多い。この種類の例示的なツールは、ミネソタ州、チャスカにあるＦＳＩ  Ｉｎｔｅｒｎａｔｉｏｎａｌ，Ｉｎｃ．から「ＯＲＩＯＮ（登録商標）」という商品名で市販されている。複数の超小型電子加工品を同時に処理するツールにおいて、超小型電子加工品が回転ターンテーブル（「プラテン」とも称される）の上に支持されるホルダー（「カセット」とも称される）内に格納されることも多い。ターンテーブルは、自身の中心軸を中心に回転し、概略的には、上記ホルダーは該ターンテーブルの中心軸の周りを軌道を描いて（遊星状に）回転する。この種類の例示的なツールは、ミネソタ州、チャスカにあるＦＳＩ  Ｉｎｔｅｒｎａｔｉｏｎａｌ，Ｉｎｃ．から「ＭＥＲＣＵＲＹ（登録商標）」および「ＺＥＴＡ（登録商標）」という商品名で市販されている。
【００２４】
理論で結びつけることを望まないため、本発明がもたらした、損傷を減らすための大幅な改善策を説明するために、基本原理を提示することができる。特定の処理用流体の組み合わせによっては、共に混合した時に、発熱を伴うとともに、エネルギーを発して反応することが知られている。超小型電子装置を製造する状況において、酸成分および洗浄水は、このような組み合わせの一例である。具体的な例では、過酸化水素、オゾンなどの酸化剤を任意に含む硫酸水溶液が、かなりのエネルギーを発して水と混合する。超小型電子加工品の表面上にて確認できる特徴として、“マイクロバースト”と称される爆発性の破裂とともにエネルギーが放出される。装置の部品の近傍でマイクロバーストが起きると、この破裂により部品を損傷させる可能性がある。
【００２５】
このような酸成分等の第１の化学物質から、水等の第２の化学物質へ移行する際、および／あるいは、一方の化学物質の雫が別の化学物質のフィルムに落下する場合に、マイクロバーストの危険性が比較的高くなる。マルチノズルシステムにおいて、高温のピラニア溶液（硫酸および過酸化水素の水性混合物）から水への移行という具体的なケースでは、一方のノズルから水が注入されている状況で、別のノズルから吐出された高温の残留酸の雫が回転している超小型電子加工品の表面上にあるシート状の水フィルムの上に滴り落ちる可能性がある。上記超小型電子加工品の表面に滴り落ちる高温の酸の雫は、局所的で非常に活発な反応を引き起こし、これらの混合が生じる箇所の近傍にある装置部品を損傷させる可能性がある。残留酸が超小型電子加工品の湿った表面に継続的に滴り落ちる場合、上記の危険性は、洗浄への移行時だけではなく、洗浄過程の間も続く。水の雫が超小型電子加工品の表面で酸を多く含む相と混合した時にも、場合によってはマイクロバーストによる損傷が起きる可能性がある。
【００２６】
図１ないし図３に、マイクロバーストがどのように装置部品を損傷するのかについての概念を概略的に示す。まず図１を参照すると、超小型電子加工品１０２は、概略的にサポート１０４を含有し、該サポート１０４は、半導体超小型電子ウエハを含むことが多い。必要に応じて、酸化被膜または同様の膜等の層（図示されない）が、従来の方法に従って上記サポート１０４に更に組み込まれてもよい。ポリシリコンゲートの実例的な形状をした線部品１０６が、上記サポート１０４の表面上に形成される。上記線部品１０６の例示的な実施形態には、概略的に、ゲート酸化膜１０８、ポリシリコン電極１１０、および誘電体層１１２が含まれる。図示されるように、水フィルム１１４が上記超小型電子加工品の表面上を覆う。高温の酸の雫１１６が上記超小型電子加工品１０２に向かって落下する様子を概略的に示す。
【００２７】
図２に、高温の酸の雫１１６が上記水フィルム１１４に落ちた場合に起こるマイクロバースト１１５を概略的に示す。上記線部品１０６に衝突した上記マイクロバースト１１５によって生じた爆破区域１１７が図示される。
【００２８】
図３は、マイクロバーストが鎮まった後の爆破区域１１７を示す。損傷した線部品１１９が上記爆破区域１１７内に図示されている。
【００２９】
図１に示す超小型電子加工品から得られるデータによって、マイクロバーストの理論が裏付けられる。ある実験では、ポリシリコンゲートの形状をした線部品が組み込まれた超小型電子加工品を調査した。図５ないし図１２を参照して以下に記載する従来の手順によって、上記超小型電子加工品の処理が行なわれた。さらに、図５ないし図１２に示す手順の後、上記超小型電子加工品は、ＳＣ１工程を経て、その後、洗浄および遠心脱水処理された。上記ＳＣ１工程には、水酸化アンモニウム、過酸化水素、および水溶液を用いる処理が含まれた。本発明の移行制御をせず、上記従来の手順を実施した後、ポリシリコンゲートの損傷の有無を確認するために、超小型電子加工品の表面を調べた。これらの超小型電子加工品からは、約１０〜２０の損傷箇所が検出された。ほとんどの損傷箇所が、多くの線に及んでいた。この調査では、線部品のアスペクト比は５：１であった。また、高さは約１５０ｎｍで、幅は約３０ｎｍであった。
【００３０】
一方、図１３ないし図２０に示すように、別の同一の超小型電子加工品に対して移行制御による改善処理を実施した場合、損傷エリアは検出されなかった。
【００３１】
本発明を実施する際、上記第１の処理用流体あるいは上記第２の処理用流体のいずれかとして、幅広い処理用流体が使用されてもよい。これらの処理用流体には、酸化流体、腐食流体、洗浄流体、艶出し流体、およびこれらの流体の組み合わせ等を含む。例示的な流体として、水と、イソプロピル・アルコール等の水性アルコールと、オゾン、過酸化物、またはこれらの組み合わせ等を含む水等の、１以上の酸化体を含む液体と、ＨＦ、リン酸、硫酸、硝酸、塩酸、グリコール酸、乳酸、酢酸、およびこれらの組み合わせ等を含む水等の酸性液体と、溶存水酸化アンモニウム、アンモニア、水酸化テトラメチルアンモニウム、コリン、およびこれらの組み合わせ等を含む水等のアルカリ溶液と、フッ化アンモニウム等の緩衝液とが挙げられる。これらの成分は濃縮されてもよいし、または希釈されてもよい。これらの成分は、幅広い温度で提供されてもよく、これらの成分を含む溶液が冷却されたり、室温で供給されたり、あるいは加熱された状態の温度が含まれる。
【００３２】
上記超小型電子加工品の表面の近傍で異なる化学物質をエネルギー発生させながら混合させることが、本発明によって大幅に減少する部品損傷を引き起こす原因の少なくとも一部になるというマイクロバースト理論を本明細書において提示した。このマイクロバースト理論を考慮すると、本発明は、上記第１の処理用流体と第２の処理用流体とを発熱を伴いながら混合させるような状況において有利に実施される。一般的に、発熱を伴う混合は、例えば、酸性成分と、比較的弱酸性の成分または異なる種類の酸を含む酸性成分が含まれる他の水溶液とを混合した場合に起こる。このように、例えば、公知のピラニア溶液は、一般的に、硫酸と水に溶解させた過酸化水素とを含有する。上記ピラニア溶液は、超小型電子加工品の表面からフォトレジスト残渣等の有機残渣を取り除くために、一つの適用例として使用される。上記混合液は強い酸化剤であるため、上記混合液によってほとんどの有機物が除去される。また、上記ピラニア溶液には、表面の大部分を水酸基化する（例えば、ＯＨ基を加える）傾向があり、これにより該表面が親水性（水に対する親和性）を有するようになる。また、ピラニア溶液の成分は、コバルト、ニッケル、チタニウム、タングステン、タンタルおよび白金等の物質をエッチングするために使用することがある。
【００３３】
ピラニア溶液中における硫酸および／または過酸化水素の濃度は、それぞれ、比較的高い濃度の範囲、例えば３０重量パーセントを超える広い範囲に及ぶ。また、これらを中程度に希釈した溶液を使用してもよく、例えば、０．１以上３０重量パーセント以下の特定成分を含む溶液が使用される。また、高度に希釈した溶液を使用してもよく、例えば、０．００１以上０．１重量パーセント以下の特定成分を含む溶液が使用される。また、超希釈溶液を使用してもよく、例えば、１０億分の１以上０．００１重量パーセント以下の当該成分あたり、約１重量部程度含む溶液が使用される。なお、本明細書において、成分中の物質の重量パーセントは、溶液の全重量に基づいて使用される。
【００３４】
硫酸成分（過酸化水素は含まない）およびピラニア溶液成分（硫酸および過酸化水素を含む）には、水と混合する際、かなりのエネルギーを発生させ、熱を発する傾向がある。硫酸の相対濃度が高くなるにつれて、混合時に放出したエネルギーが大きくなる傾向がある。従って、本発明は、硫酸／ピラニア溶液処理および洗浄処理間の移行が必要となるマルチノズルツールにおいて有利に利用される。多くの場合、洗浄処理は酸処理の前後、またはいずれかのタイミングで行なわれる。
【００３５】
図４に、本発明を実施するために特に好適で例示的な装置１０を示す。説明のため、図４は、概略的には、ＯＲＩＯＮ（登録商標）（ミネソタ州、チャスカにあるＦＳＩ  Ｉｎｔｅｒｎａｔｉｏｎａｌ，Ｉｎｃ．）の単一超小型電子加工品処理ツールに相当する。上記装置１０は、通常、処理容器１４を規定する筐体を有する。超小型電子加工品１６は、回転チャック１８の上において支持される。複数の工程を含む処理の少なくとも一部の期間において、超小型電子加工品は軸１７を中心に回転する。
【００３６】
上記装置１０は、複数の異なる吐出ノズル２２、２４、２６を含み、上記超小型電子加工品１６の上に流体を吐出するために、それぞれ別々に使用される。図示されるように、ノズル２２は、スプレーバーを備えるとともに、通常、下に位置する超小型電子加工品１６のコードの少なくとも一部にまで伸長する。上記装置１０は、上記コードが超小型電子加工品１６の半径に実質的に相当するように構成されている。スプレーバー２２は複数のオリフィス２８を含み、該スプレーバーから吐出される流体は、通常当該オリフィス２８を通って上記超小型電子加工品１６に向けて吐出される。ノズル２４および２６は、通常上記超小型電子加工品１６の中心領域に流体を吐出するために、それぞれ別々に使用される。流体の吐出中に上記超小型電子加工品１６が回転している限り、通常流体は上記超小型電子加工品の表面上において外方に向かって放射状に広がる。そして、上記流体は、上記超小型電子加工品の周辺に放たれ、回収された後、処分、再利用、あるいはその他の使用に供される。
【００３７】
例示的な流体の供給源３１ないし３９は、配管ライン４１ないし５３を介して上記ノズル２２、２４、および／または２６と結合されている。バルブ６１ないし７３は、上記ノズル２２、２４、および２６に向かって流れるように該流体を制御するために使用される。説明のため、上記流体の供給源３１ないし３９には、低温（または室温）の水、湯、アンモニア水、過酸化水素、低温の硫酸、および高温の硫酸が含まれる。低温（または室温）の水、湯、過酸化水素、および高温の硫酸といった複数の供給源は、同一であってもよいし、異なっていてもよい。これらの供給源は、理解しやすいように、別々の供給源として図示されている。マスフロー制御装置９１ないし９６は、供給源３１ないし３５、および供給源３９からの流体の流れを制御しやすくするために使用される。オリフィス７５は、供給源３８から、高温且つ、濃縮された（例えば、９６重量パーセント）硫酸の流れを制御しやすくするために使用される。本発明の実施形態を実施するための変形例として、上記装置１０は、吸引ライン７４をさらに含む。上記吸引ライン７４は、上記ノズル２２および／またはノズル２４から化学物質を吸引しやすくするために使用される。吸引は様々な方法（図示しない）によって行うことができるが、簡便かつ確実な方法として、アスピレーションによる吸引が行われる。他の吸引方法としては、真空ポンプ等を用いる方法が含まれる。
【００３８】
また、別の吸引ライン２７を、ツール１０の全体または一部から化学物質を吸引しやすくする効果のある位置に設けてもよい。有利な点としては、上記ノズル２４および２６から化学物質を吐出する間にも、上記吸引ライン７４によって上記ノズル２４に対する吸引を行うことが可能となることである。バルブ２９および６９によって、上記吸引ライン２７および７４を通る流体の流れが制御しやすくなる。
【００３９】
図５ないし図１２は、図４に示す装置１０を用いて従来の処理方法を実施するための一連の手順を示す。あらゆる観点から、まず初めに、硫酸と過酸化水素とを用いて超小型電子加工品１６からフォトレジスト残渣を取り除く。上記酸処理の後、洗浄工程が続く。有利な点としては、このプロセスが、上記超小型電子加工品１６の熱による衝撃を最小限にすることを目的としていることである。しかし、上記手順は、本発明に係る超小型電子加工品の表面における混合制御をせずに、実施されている。混合制御が行われなければ、上記プロセスにおいて、超小型電子加工品の表面上の微細な部品が損傷を受ける可能性がある。図１３ないし図２０は、多くの有利な原理を組み込む本発明の実施態様の実例を実現するための、図４に示す装置１０の使用方法を示す。微細な部品の損傷は劇的に減る。なお、上記２つの異なる手順に対応するこれらの図面全てにおいて、特定の工程で使用されている配管ラインおよび流体は図示されるが、使用されていない他の配管ラインおよび流体の供給源は、理解しやすいように省略されている。
【００４０】
図５ないし図１２に示す従来の方法を説明する。使用される硫酸は、約９６重量パーセント（バランス水）に濃縮され、過酸化水素は、３０重量パーセントの水溶液である。図５において、超小型電子加工品１６が回転チャック１８の上に設置されている。濃縮された室温の硫酸（例えば、約２０℃）が、中央に位置する上記吐出ノズル２４によって超小型電子加工品１６の上に注入される。本工程は、約１０秒等の好適な長さの時間で行なわれる。
【００４１】
図６において、上記低温の硫酸の吐出は停止されている。ここで、濃縮された高温の硫酸が、上記ノズル２２を通過して、回転している上記超小型電子加工品１６の上に吐出される。低温の酸は、上記ノズル２４から上記超小型電子加工品の表面に滴り落ちる傾向がある。この滴り落ちる可能性を概略的に示すために、ノズル２４は破線によって図示され、斜交平行線のハッチが付される。傾向として、上記冷たい酸が、ただ単に熱い酸と混合する限り、これらの滴が原因による、どんなマイクロバーストの問題も引き起こさない。上記熱い酸は、温められて、１５０℃のような適した温度にする。オリフィス７５から超小型電子加工品１６の流れの中において、上記熱い酸に対して、ある程度の冷却が行なわれ、その結果、上記の超小型電子加工品の表面の温度は約１３０℃になる。本工程は、約５秒等の好適な長さの時間で行なわれる。
【００４２】
図７において、高温の硫酸がノズル２２から吐出され続けられるが、ここでは、過酸化水素と組み合わせて吐出される。高温の硫酸と過酸化水素は、エネルギーを発しながら混合する可能性がある。しかし、この混合が上記ノズル２２から上流に向かう配管の内側で起こる限り、マイクロバースト理論における装置の損傷に対して、懸念すべき問題ではない。これは、この混合液が吐出され、上記超小型電子加工品１６に到達するかなり前である。混合によって熱が生じるため、本工程中に、例えば２００℃まで温度が上昇する場合がある。通常の処理において、濃縮された硫酸過酸化水素水溶液の体積比は４：１である。本工程は、約８０秒間といった適切な長さの時間で行なわれる。図７には図示されないが、本工程の少なくとも一部の期間において上記ノズル２４から低温の残留酸が滴り落ちる可能性もあるし、全く滴り落ちない可能性もある。
【００４３】
図８において、上記高温の硫酸は、上記ノズル２２から吐出され続けるが、過酸化水素とは全く混合していない。上記の吐出温度は、例えば約１３０℃まで下がる。本工程は、約５秒等の好適な長さの時間で行なわれる。
【００４４】
図９において、高温の硫酸溶液から室温の硫酸溶液への移行を示す。上記ノズル２２を通る高温の硫酸の流れを止めて、室温の硫酸が中央に位置する上記ノズル２４を通って吐出される。上記ノズル２２には、破線および斜めの網掛けによって示されるような高温の硫酸が多少残留しており、高温の硫酸溶液が全てノズル２２から排出されるわけではない。上記の高温の硫酸残留溶液の一部が、上記の超小型電子加工品の表面に滴り落ちる可能性もあるが、これはマイクロバースト理論において問題にはならない。なぜならば、上記高温の硫酸は、ただ室温であるだけで同様の硫酸と上記超小型電子加工品の表面の近傍で、単に混合しているためである。室温の硫酸へ移行することによって、上記の超小型電子加工品の表面温度は低下し、例えば、約２０℃といった温度まで低下する。本工程は、約１５秒間等の好適な長さの時間で行なわれる。
【００４５】
図１０に、酸吐出から洗浄水吐出への処理の移行を示す。この段階において、マイクロバーストによる損傷のリスクは高まる。水（好ましくは、約２０℃）が、上記中央吐出ノズル２４を通って、上記超小型電子加工品１６の中心上に吐出される。上記超小型電子加工品の表面の上記酸性溶液は洗い流され、放射状に広がる水のフィルムに置き換えられる。この時、この洗浄工程は、約７秒間といった適切な長さの時間継続される。上記の水の温度は約２０℃が好ましい。一方、残留する、高温の硫酸溶液が上記のノズル２２にまだ残っている可能性がある。この残留する硫酸溶液は、上記超小型電子加工品の表面の近傍において、上記のフィルムに滴り落ちる可能性がある。この滴りが起きる箇所では、潜在するマイクロバーストおよびこれに伴う部品の損傷が起こり得る。
【００４６】
マイクロバーストによる損傷のリスクは図１１においても示される。ノズル２４を通る水の吐出は停止している。その代わりに、水はノズル２２を洗い流すために使用される。これにより、少なくとも２つの過程において、マイクロバーストによる損傷のリスクが起きる。第１の過程として、ノズル２２を洗い流すことによって、まず酸が多く含まれる溶液が、上記ノズル２２から超小型電子加工品１６の水が多く含まれる表面上に押し出される。これにより、上記超小型電子加工品の表面では、洗い流された酸と水との混合が起こる。第２の過程としては、ノズル２２の洗い流しの初期段階中に、上記の超小型電子加工品の表面が一時的に酸が多く含まれるようになるので、ノズル２４からの残留水が、上記の酸が多く含まれる表面に滴り落ちる可能性があり、上記の酸と水とが混合することによって、マイクロバースト、およびそれに伴う損傷が結果として起こりうる。つまり、上記ノズル２２中の残留酸は、上記超小型電子加工品の表面において、マイクロバーストによる損傷を引き起こす潜在的要素である。本工程の水の吐出は、約２１秒間等の好適な長さの時間で行なわれる。本工程の終了時には、上記の超小型電子加工品の表面は、概ね一面に広がった水によって覆われており、酸は残留しない。
【００４７】
工程１２では、ノズル２２とノズル２４の両方を通って水が流される。この段階で、上記の超小型電子加工品の表面は水によって概ね覆われているので、吐出された水は、上記の表面の水とのみ混合する。実質的には、この段階において、マイクロバーストによる損傷のリスクはない。
【００４８】
上記の一連の工程を実施した後、上記の超小型電子加工品１６はさらに処理を施され、あるいは別の方法で所望のように取り扱われる。例えば、一つの選択肢として、上記超小型電子加工品には、いわゆる、ＳＣ１処理（含水水酸化アンモニウム、過酸化水素水溶液および水の混合）を含む処理が施され、その後、洗浄処理および乾燥処理が行なわれる。
【００４９】
図１３ないし図２０は、本発明の原理を用いてマイクロバーストによる損傷のリスクを大幅に減らすために、図５ないし図１２に示す上記装置１０およびその処理をどのように変更できるかを示す。装置の変更例として、装置１０には、吸引ライン７４が取り付けられ、これにより、配管ラインならびに、上記吸込ライン７４に流動的に結合されたノズル２２および２４に対して、吸引が行なわれる。
【００５０】
図１３ないし図１６は、図５ないし図８にそれぞれ示す工程と同様の方法で実施される処理工程を概略的に示す。
【００５１】
図１７に示す処理工程からは、ノズル２２に残っている高温の残留硫酸が、超小型電子加工品１６の上に滴り落ちて、マイクロバーストによる損傷が生じる可能性が認められる。従って、本工程において、ノズル２２から高温の硫酸溶液の吐出は停止され、残留した硫酸溶液を吸引ライン７４を通して除去するために、ノズル２２に対して吸引が行なわれる。これにより、上記ノズル２２は、概ねほぼ完全に乾燥し、酸の滴りのリスクは最小限になる。本工程中には、水はまだ、いずれかのノズルを通って上記の超小型電子加工品の上に吐出されないので、酸の雫が落下して上記の超小型電子加工品の表面近傍の水と混合するリスクが最小限になる。前工程で吐出されたフィルム状の酸性溶液が、上記超小型電子加工品の表面上に残留する事は、本工程の初期段階ではあり得る事である。従って、この残留フィルムを薄くすると同時に、あるいは上記表面から希望通りに酸を除去するために、上記の超小型電子加工品が回転し続けることが望ましい。本工程は、約５秒間等の好適な長さの時間で行なわれる。本工程中、上記の超小型電子加工品の表面の温度は約１３０℃を維持している。もしくは、上記の超小型電子加工品が回転する時、上記表面温度は多少低下する可能性がある。
【００５２】
図１８に、必要に応じて図１７に示す処理工程の後に実施される任意の処理工程を示す。この任意の工程には、低温の硫酸および／または過酸化水素水溶液等の、比較的冷温の化学物質を吐出する工程が含まれる。上記吐出される物質は、約６０℃より低い温度であることが望まれ、好ましくは約５０℃より低い温度、さらに好ましくは約３０℃より低い温度である。図示されるように、中央ノズル２４を通って室温の硫酸の吐出が始まり、ライン７４において、残留する酸性溶液を取り除くために、ノズル２２に対する吸引処理が継続される。上記ノズル２２には、破線および薄い斜めの網掛けによって示されるような、高温の残留硫酸が多少含まれる。室温の硫酸への移行によって、上記超小型電子加工品の表面温度が、約２０℃といった温度まで低下する。本工程は、約１５秒間等の好適な長さの時間で行なわれる。
【００５３】
図１９に示す次の工程において、酸の雫によるリスクの最小化を継続的に行なうために、ノズル２２に対する吸引が継続されることが望ましい。実際の可能性として、特に明記がない限り、図１９に示す工程の期間中、または、終了時に停止されるまで、この吸引工程が概ね継続的に維持される。この段階では、水は安全にノズル２４を通って、概ね上記超小型電子加工品１６の中心領域に吐出される。上記の中心に吐出された水は、上記超小型電子加工品の表面上において、外方へ放射状に流れ落ちる流体の波を形成するかのように見える。酸と水との混合による熱が存在する場合、この混合により生じた熱は、比較的大きな量を伴って広がる。上記超小型電子加工品１６の表面にいくらかの酸が残留したままである限り、水の上記中心領域への吐出がマイクロバーストによる損傷のリスクを最小限にするのに役立つと考えられる。本工程は、約２０秒間等の好適な長さの時間で行なわれる。上記の水の吐出により、上記超小型電子加工品１６の温度が約２０℃まで低下する。
【００５４】
図２０に示す任意の工程では、図１９に示す上記工程で行なわれる吐出および吸引を継続すると同時に、さらに、ノズル２６を通って冷水またはお湯を吐出する工程が含まれる。この工程は必須ではないが、必要に応じて実施され、本明細書には記載されていない前の工程からノズル２６に存在するかもしれない化学物質を洗い流すために行なわれる。吸引は、本工程中、または、本工程の終了時に停止される。本工程は、約３秒間等の好適な長さの時間で行なわれる。上記超小型電子加工品の温度は、吐出される水の温度に一致しており、約２０℃である。
【００５５】
図２１に、超小型電子加工品１６および／または他の超小型電子加工品のさらなる処理に備えて、水を用いて上記ノズル２２を洗浄する工程を示す。任意ではあるが、ノズル２４または２６についても、必要に応じて継続して洗浄してもよい。図示のように、ノズル２６は、継続して水で洗浄されている。上記ノズル２２の中、または上記上流にある配管の中には、微量の酸が残留している可能性があるが、マイクロバーストによる損傷のリスクは非常に低い。一般的には、たとえ残っているとしても、残留している酸はほんのわずかな量なので、このような酸は、上記超小型電子加工品の表面に達する前に、上記の水と容易に混合する。
【００５６】
図１３ないし図２１に示す一連の工程を実施した後に、上記超小型電子加工品１６には、さらに処理を施され、あるいは別の方法で所望のように取り扱われる。例えば、一つの選択肢によれば、上記の超小型電子加工品には、いわゆるＳＣ１処理を含む処理が施されてもよく、その後洗浄処理および乾燥処理が行なわれる。
【００５７】
また、出願人Ｃｈｒｉｓｔｅｎｓｏｎ氏らによる、出願番号１１／６０３，６３４を有する米国特許７，５９２、２６４、並びに、２００８年５月１５日にＤｅＫｒａｋｅｒ氏らにより出願された、同時係属中の米国特許出願１２／１５２，６４１に記載されるように、硫酸と過酸化水素の混合液を吐出する間に、上記処理容器への水蒸気または霧の吐出と同時に、図１３ないし図２１に示す一連の工程を行なうことも可能である。また、濃縮された硫酸と図７に示す工程中に吐出される過酸化水素水溶液との体積比は、上記の工程が望ましい結果となるためには、２：１〜１０：１になるように調整が可能であり、水蒸気または霧の吐出を含む工程においては、１０：１の体積比が最も望ましく、水蒸気または霧の吐出を含まない工程においては、４：１の体積比が最も望ましい。また、白金のような金属をエッチング処理を目的とする工程においては、濃縮された硫酸と過酸化水素水溶液の体積比は、２：１または、４：３が最も望ましい。
【００５８】
以下の特許文献の全てが、本書に参考用として、あらゆる目的のために明細書中において参考として援用される。
【００５９】
米国特許第７、５５６、６９７号（出願人：Ａｒｎｅ  Ｃ．Ｂｅｎｓｏｎ  ｅｔ  ａｌ．、発行日：２００９年７月７日、名称：ＳＹＳＴＥＭ  ＡＮＤ  ＭＥＴＨＯＤ  ＦＯＲ  ＣＡＲＲＹＩＮＧ  ＯＵＴ  ＬＩＱＵＩＤ  ＡＮＤ  ＳＵＢＳＥＱＵＥＮＴ  ＤＲＹＩＮＧ  ＴＲＥＡＴＭＥＮＴＳ  ＯＮ  ＯＮＥ  ＯＲ  ＭＯＲＥ  ＷＡＦＥＲＳ）
米国公開番号２００７／００２２９４８（出願人：Ａｌａｎ  Ｄ．Ｒｏｓｅ  ｅｔ  ａｌ．、公開日：２００７年２月１日、名称：ＣＯＭＰＡＣＴ  ＤＵＣＴ  ＳＹＳＴＥＭ  ＩＮＣＯＲＰＯＲＡＴＩＮＧ  ＭＯＶＥＡＢＬＥ  ＡＮＤ  ＮＥＳＴＡＢＬＥ  ＢＡＦＦＬＥＳ  ＦＯＲ  ＵＳＥ  ＩＮ  ＴＯＯＬＳ  ＵＳＥＤ  ＴＯ  ＰＲＯＣＥＳＳ  ＭＩＣＲＯＥＬＥＣＴＲＯＮＩＣ  ＷＯＲＫＰＩＥＣＥＳ  ＷＩＴＨ  ＯＮＥ  ＯＲ  ＭＯＲＥ  ＴＲＥＡＴＭＥＮＴ  ＦＬＵＩＤＳ）
米国公開番号２００７／０２４５９５４（出願人：Ｊｉｍｍｙ  Ｄ．Ｃｏｌｌｉｎｓ  ｅｔ  ａｌ．、公開日：２００７年１０月２５日、名称：ＢＡＲＲＩＥＲ  ＳＴＲＵＣＴＵＲＥ  ＡＮＤ  ＮＯＺＺＬＥ  ＤＥＶＩＣＥ  ＦＯＲ  ＵＳＥ  ＩＮ  ＴＯＯＬＳ  ＵＳＥＤ  ＴＯ  ＰＲＯＣＥＳＳ  ＭＩＣＲＯＥＬＥＣＴＲＯＮＩＣ  ＷＯＲＫＰＩＥＣＥＳ  ＷＩＴＨ  ＯＮＥ  ＯＲ  ＭＯＲＥ  ＴＲＥＡＴＭＥＮＴ  ＦＬＵＩＤＳ）
米国公開番号２００８／０００８８３４（出願人：Ｊｉｍｍｙ  Ｄ．Ｃｏｌｌｉｎｓ  ｅｔ  ａｌ．、公開日：２００８年１月１０日、名称：ＢＡＲＲＩＥＲ  ＳＴＲＵＣＴＵＲＥ  ＡＮＤ  ＮＯＺＺＬＥ  ＤＥＶＩＣＥ  ＦＯＲ  ＵＳＥ  ＩＮ  ＴＯＯＬＳ  ＵＳＥＤ  ＴＯ  ＰＲＯＣＥＳＳ  ＭＩＣＲＯＥＬＥＣＴＲＯＮＩＣ  ＷＯＲＫＰＩＥＣＥＳ  ＷＩＴＨ  ＯＮＥ  ＯＲ  ＭＯＲＥ  ＴＲＥＡＴＭＥＮＴ  ＦＬＵＩＤＳ）
米国公開番号２００８／０２８３０９０（出願人：Ｄａｖｉｄ  ＤｅＫｒａｋｅｒ  ｅｔ  ａｌ．、公開日：２００８年１１月２０日、名称：ＰＲＯＣＥＳＳ  ＦＯＲ  ＴＲＥＡＴＭＥＮＴ  ＯＦ  ＳＵＢＳＴＲＡＴＥＳ  ＷＩＴＨ  ＷＡＴＥＲ  ＶＡＰＯＲ  ＯＲ  ＳＴＥＡＭ）
米国公開番号２００９／００３８６４７（出願人：Ｄａｖｉｄ  ＤｅＫｒａｋｅｒ  ｅｔ  ａｌ．、公開日：２００９年２月１２日、名称：ＲＩＮＳＩＮＧ  ＭＥＴＨＯＤＯＬＯＧＩＥＳ  ＦＯＲ  ＢＡＲＲＩＥＲ  ＰＬＡＴＥ  ＡＮＤ  ＶＥＮＴＵＲＩ  ＣＯＮＴＡＩＮＭＥＮＴ  ＳＹＳＴＥＭＳ  ＩＮ  ＴＯＯＬＳ  ＵＳＥＤ  ＴＯ  ＰＲＯＣＥＳＳ  ＭＩＣＲＯＥＬＥＣＴＲＯＮＩＣ  ＷＯＲＫＰＩＥＣＥＳ  ＷＩＴＨ  ＯＮＥ  ＯＲ  ＭＯＲＥ  ＴＲＥＡＴＭＥＮＴ  ＦＬＵＩＤＳ）
米国公開番号２００９／０２８０２３５（出願人：Ｊｅｆｆｒｅｙ  Ｍ．Ｌａｕｅｒｈａａｓ  ｅｔ  ａｌ．、公開日：２００９年１１月１２日、名称：ＴＯＯＬＳ  ＡＮＤ  ＭＥＴＨＯＤＳ  ＦＯＲ  ＰＲＯＣＥＳＳＩＮＧ  ＭＩＣＲＯＥＬＥＣＴＲＯＮＩＣ  ＷＯＲＫＬＰＩＥＣＥＳ  ＵＳＩＮＧ  ＰＲＯＣＥＳＳ  ＣＨＡＭＢＥＲ  ＤＥＳＩＧＮＳ  ＴＨＡＴ  ＥＡＳＩＬＹ  ＴＲＡＮＳＩＴＩＯＮ  ＢＥＴＷＥＥＮ  ＯＰＥＮ  ＡＮＤ  ＣＬＯＳＥＤ  ＭＯＤＥＳ  ＯＦ  ＯＰＥＲＡＴＩＯＮ）
米国特許第７、５９２、２６４号（出願人：Ｋｕｒｔ  Ｋａｒｌ  Ｃｈｒｉｓｔｅｎｓｏｎ、発行日：２００９年９月２２日、名称：ＰＲＯＣＥＳＳ  ＦＯＲ  ＲＥＭＯＶＩＮＧ  ＭＡＴＥＲＩＡＬ  ＦＲＯＭ  ＳＵＢＳＴＲＡＴＥＳ）
本明細書において、本発明はその複数の例示的な実施形態を参照して記載されている。本明細書において特定される特許または特許出願の全開示内容は、あらゆる目的のために明細書中において参考として援用される。真空蒸着の技術における当業者が明確に理解できるように、上記開示内容が提供される。上記開示内容から不必要な限定を取り込むべきではない。本発明の範囲から逸脱せずに、本明細書に記載の上記例示的な実施形態において変更がなされることは、当業者にとって明白である。このように、本発明の範囲は、本明細書に記載の上記に例示した構造および方法に限定されないが、請求の範囲に記載される構成と方法、ならびに、その構成と方法に同等なものによってのみ限定される。
【図面の簡単な説明】
【００６０】
【図１】本発明に係り検討されたマイクロバーストの概念を概略的に説明する図である。
【図２】本発明に係り検討されたマイクロバーストの概念を概略的に説明する図である。
【図３】本発明に係り検討されたマイクロバーストの概念を概略的に説明する図である。
【図４】本発明に係り使用できる模範的装置を概略的に示す図である。
【図５】図４に示す上記模範的装置により実行できる従来技術の一連の処理工程を概略的に示す図である。
【図６】図４に示す上記模範的装置により実行できる従来技術の一連の処理工程を概略的に示す図である。
【図７】図４に示す上記模範的装置により実行できる従来技術の一連の処理工程を概略的に示す図である。
【図８】図４に示す上記模範的装置により実行できる従来技術の一連の処理工程を概略的に示す図である。
【図９】図４に示す上記模範的装置により実行できる従来技術の一連の処理工程を概略的に示す図である。
【図１０】図４に示す上記模範的装置により実行できる従来技術の一連の処理工程を概略的に示す図である。
【図１１】図４に示す上記模範的装置により実行できる従来技術の一連の処理工程を概略的に示す図である。
【図１２】図４に示す上記模範的装置により実行できる従来技術の一連の処理工程を概略的に示す図である。
【図１３】本発明に係る混合制御処理を組み込んだ一連の工程を実施するための、図４の装置の使用方法を示す図である。
【図１４】本発明に係る混合制御処理を組み込んだ一連の工程を実施するための、図４の装置の使用方法を示す図である。
【図１５】本発明に係る混合制御処理を組み込んだ一連の工程を実施するための、図４の装置の使用方法を示す図である。
【図１６】本発明に係る混合制御処理を組み込んだ一連の工程を実施するための、図４の装置の使用方法を示す図である。
【図１７】本発明に係る混合制御処理を組み込んだ一連の工程を実施するための、図４の装置の使用方法を示す図である。
【図１８】本発明に係る混合制御処理を組み込んだ一連の工程を実施するための、図４の装置の使用方法を示す図である。
【図１９】本発明に係る混合制御処理を組み込んだ一連の工程を実施するための、図４の装置の使用方法を示す図である。
【図２０】本発明に係る混合制御処理を組み込んだ一連の工程を実施するための、図４の装置の使用方法を示す図である。
【図２１】本発明に係る混合制御処理を組み込んだ一連の工程を実施するための、図４の装置の使用方法を示す図である。
【図１】
2013526056.tif 000003
【図２】
2013526056.tif 000004
【図３】
2013526056.tif 000005
【図４】
2013526056.tif 000006
【図５】
2013526056.tif 000007
【図６】
2013526056.tif 000008
【図７】
2013526056.tif 000009
【図８】
2013526056.tif 000010
【図９】
2013526056.tif 000011
【図１０】
2013526056.tif 000012
【図１１】
2013526056.tif 000013
【図１２】
2013526056.tif 000014
【図１３】
2013526056.tif 000015
【図１４】
2013526056.tif 000016
【図１５】
2013526056.tif 000017
【図１６】
2013526056.tif 000018
【図１７】
2013526056.tif 000019
【図１８】
2013526056.tif 000020
【図１９】
2013526056.tif 000021
【図２０】
2013526056.tif 000022
【図２１】
2013526056.tif 000023
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
１以上の処理用流体を超小型電子加工品に対して、それぞれ別々に向けられるように構成される第１の吐出ノズルおよび第２の吐出ノズルを含む処理容器の中に該超小型電子加工品を配置する工程と、
上記第１の吐出ノズルを用いて第１の処理用流体を上記処理容器の中に吐出する工程と、
上記第１の吐出ノズルを用いた上記処理容器への上記第１の処理用流体の吐出を終了する工程と、
上記第１の吐出ノズルに対して吸引を行なう工程と、
上記第１の吐出ノズルの吸引後に、上記第２の吐出ノズルを用いて第２の処理用流体を上記処理容器の中に吐出する工程と、を含むことを特徴とする超小型電子加工品の処理方法。
【請求項２】
上記第１の処理用流体および上記第２の処理用流体は発熱を伴って混合することを特徴とする請求項１に記載の方法。
【請求項３】
１以上の処理用流体を超小型電子加工品に対して、それぞれ別々に向けられるように構成される第１の吐出オリフィスおよび第２の吐出オリフィスを含む処理容器の中に該超小型電子加工品を配置する工程と、
上記第１の吐出オリフィスを用いて第１の処理用流体を上記処理容器の中に吐出する工程と、
上記第１の吐出オリフィスに対して吸引を行なう工程と、
上記第１の吐出オリフィスの吸引後に、上記第２の吐出オリフィスを用いて第２の処理用流体を上記処理容器の中に吐出する工程と、を含むことを特徴とする超小型電子加工品の処理方法。
【請求項４】
第１の処理用流体を処理容器の中に吐出することができる少なくとも１つのオリフィスを含む第１のノズルと、該第１のノズルとは異なり、第２の処理用流体を該処理容器の中に吐出することができる少なくとも１つのオリフィスを含む第２のノズルとを含む該処理容器の中に超小型電子加工品を配置する工程と、
上記第１のノズルおよび第２のノズルのいずれか、もしくは両方に対して吸引を行なうことで、それぞれの処理用流体を上記第１のノズルおよび第２のノズルのいずれか、もしくは両方から上流へ抜き出す工程と、を含むことを特徴とする超小型電子加工品の処理方法。
【請求項５】
１以上の処理用流体を超小型電子加工品に対して、それぞれ別々に向けられるように構成される第１の吐出ノズルおよび第２の吐出ノズルを含む処理容器の中に該超小型電子加工品を配置する工程と、
上記第１の吐出ノズルを用いて第１の処理用流体を上記処理容器の中に吐出する工程と、
上記第２の吐出ノズルを用いて第２の処理用流体を上記処理容器の中に吐出する工程と、
第２のノズルから吐出された第２の流体のフィルムの表面上に、第１のノズルから吐出されたある流体の雫が落下するのを防ぐために、第１の化学物質の吐出と第２の化学物質の吐出との移行を制御する工程と、
上記超小型電子加工品の上において、上記第２の処理用流体のフィルムの表面上に、上記第１のノズルから吐出された上記第１の処理用流体が滴り落ちるのを防ぐために、上記第１の処理用流体の吐出と上記第２の処理用流体の吐出との移行を制御する工程と、を含むことを特徴とする超小型電子装置の処理方法。
【国際調査報告】
2013526056.tif 000024